(57)【要約】【課題】ボックス類の取付固定のために折曲げ突起を容易に折り曲げることができ、取扱性の良いボックス架設具を提供する。【解決手段】既設の構造体である鉄筋Ｋにボックスを架設するためのボックス架設具５であって、その主部をなす板状の架設具本体１と、この架設具本体１を鉄筋Ｋに取り付けるための取付部３と、架設具本体１から切り起こされ、該ボックスの底壁に設けられた取付孔に挿通係止して、該ボックスの開口方向に延び出た折曲げ突起４とを備え、この折曲げ突起４にその折曲げを容易とする貫通孔４ｂが設けられている。【選択図】図１
2006336252.tif 000002
【特許請求の範囲】
【請求項１】
既設の構造体にボックスを架設するためのボックス架設具であって、その主部をなす板状の架設具本体と、この架設具本体を該既設の構造体に取り付けるための取付部と、該架設具本体から切り起こされ、該ボックスの底壁に設けられた取付孔に挿通係止して、該ボックスの開口方向に延び出る折曲げ突起とを備え、
該折曲げ突起にその折曲げを容易とする貫通孔が設けられていることを特徴とするボックス架設具。
【請求項２】
前記貫通孔は、前記折曲げ突起の幅方向の中央に形成されていることを特徴とする請求項１記載のボックス架設具。  
【請求項３】
前記貫通孔は、前記折曲げ突起の折曲げが必要とされる部分に設けられていることを特徴とする請求項１または２記載のボックス架設具。
【請求項４】
前記貫通孔は、前記折曲げ突起の長手方向に延びて形成されていることを特徴とする請求項３記載のボックス架設具。
【発明の詳細な説明】
【技術分野】
【０００１】
本発明は、コンクリート打設前に、これに埋設されるボックス類を、鉄筋類に固定する、また、建築物の壁面内などに収容されるボックス類を、既設の構造体である柱などに取り付けられた固定具本体に固定するためのボックス架設具に関する。
【背景技術】
【０００２】
このような架設具としては、特許文献１が提案されており、図８は、この従来の架設具に関するもので、（ａ）はその使用態様の一例を示す斜視図、（ｂ）はその使用態様の他例を示す斜視図である。
【０００３】
この架設具５０は、Ｓ字状の平板の上下端部がコンクリート打設前の鉄筋Ｋを巻き込んで固定されるようになっており、その適所にその平板から直角に切り起こされた折曲げ突起５１が設けられている。
【０００４】
図８（ａ）に示すように、この折曲げ突起５１がボックスＢの取付穴Ｂ１に入るようにすることで、ボックスＢを落下しないように所定の向きで一時的に掛け留めでき、その位置で良好な場合には、ボックスＢの開口側から取付穴Ｂ１の内底面で折曲げ突起５１を折り曲げることによって、ボックスＢがコンクリートの打設程度では脱落しないように固定、架設することができるものであった。
【０００５】
一方、この架設具５０では、折曲げ突起５１の切り起こし部分には、余分の切り込み５２がされており、折曲げ状態の折曲げ突起５１そのままでは、ボックスＢの取付穴Ｂ１の穴間ピッチに適合しない場合には、図８（ｂ）に示すように、工具によって、折曲げ突起５１の起き上がり部分を挟んで、より奥の切り込みから折り曲げるように、あるいは、より手前で折り曲げるように折曲げ位置を調整することができ、これによって、その折曲げ突起５１間のピッチをボックスＢの取付穴Ｂ１の穴間ピッチに適合させることができるものであった。
【０００６】
しかしながら、この架設具５０の折曲げ突起５１においては、ボックスＢの開口側から取付穴Ｂ１の内底面に沿わせて折り曲げる場合、また、特にピッチ間を調整する場合、人の手指では容易に折曲げることができず、現場での取扱性の改善が望まれていた。
【特許文献１】特開２００４−４４３２１号公報（図２、図７）
【発明の開示】
【発明が解決しようとする課題】
【０００７】
本発明は、上記の問題を解決しようとするものであり、ボックス類の取付固定のために折曲げ突起を容易に折り曲げることができ、取扱性の良いボックス架設具を提供することを目的とする。
【課題を解決するための手段】
【０００８】
請求項１記載のボックス架設具は、既設の構造体にボックスを架設するためのボックス架設具であって、その主部をなす板状の架設具本体と、この架設具本体を該既設の構造体に取り付けるための取付部と、該架設具本体から切り起こされ、該ボックスの底壁に設けられた取付孔に挿通係止して、該ボックスの開口方向に延び出る折曲げ突起とを備え、該折曲げ突起にその折曲げを容易とする貫通孔が設けられていることを特徴とする。
【０００９】
請求項２記載のボックス架設具は、請求項１に従属し、前記貫通孔は、前記折曲げ突起の幅方向の中央に形成されていることを特徴とする。  
【００１０】
請求項３記載のボックス架設具は、請求項１または２に従属し、前記貫通孔は、前記折曲げ突起の折曲げが必要とされる部分に設けられていることを特徴とする。
【００１１】
請求項４記載のボックス架設具は、請求項３に従属し、前記貫通孔は、前記折曲げ突起の長手方向に延びて形成されていることを特徴とする。
【発明の効果】
【００１２】
請求項１記載のボックス架設具によれば、折曲げ突起にその折曲げを容易とする貫通孔が設けられているので、ボックス類の取付固定のために折曲げ突起を人の手指で折り曲げることができ、現場での取扱性が良い。
【００１３】
請求項２記載のボックス架設具によれば、請求項１の効果に加え、貫通孔は、前記折曲げ突起の幅方向の中央に形成されているので、折曲げ突起が左右に傾かないで、まっすぐ折れ曲がる。  
【００１４】
請求項３及び４記載のボックス架設具によれば、、請求項１または２の効果に加え、前記貫通孔は、前記折曲げ突起の折曲げが必要とされる部分に長孔として設けられているので、必要な部分で折曲げでき、また、ボックスの取付孔の長さ（底壁の厚さ）が種々の場合にも対応できる。
【発明を実施するための最良の形態】
【００１５】
以下に、本発明の実施の形態（実施例）について、図面を用いて説明する。
【実施例１】
【００１６】
図１は、本発明のボックス架設具の一例を示すもので、（ａ）はその正面図、（ｂ）はその縦断面図、（ｃ）は（ａ）の要部拡大図、図２は、図１のボックス架設具の使用態様の一例を示すもので、（ａ）はその斜視図、（ｂ）はその要部断面図、（ｃ）は（ｂ）の折曲げ操作後の要部断面図である。
【００１７】
このボックス架設具５は、コンクリート打設前に、これに埋設されるボックス類を鉄筋Ｋに固定するために用いられるもので、ほぼＳ字形状で平板状の架設具本体１の幅中央部分に長手方向に延びる補強としての補強凹所２が設けられ、その上下端部には、鉄筋Ｋを巻き込むような取付部３が設けられている。
【００１８】
補強凹所２の長手方向の中央部分はＳ字の中央部分と同様に屈曲し、この屈曲部分の中央をなすように円形の補強凹所２ａとされ、この補強凹所２ａの中央にボックスＢ（図２参照）の前面をコンクリート型枠に引き寄せるためのボルトが挿通される挿通孔２ｂが設けられている。
【００１９】
この挿通孔２ｂを挟んで対向する方向に延びている架設具本体１の部分には、折曲げ突起４を切り起こすための切り込み４ａが挿通孔２ｂを挟んで対向する方向に所定長さで形成され、その一部が図示するように折曲げ突起４として、切り起こされている。
【００２０】
この切り込み４ａの幅中央部分には、貫通孔４ｂが切り込み４ａの長さに対応して設けられている。
【００２１】
この切り込み４ａと貫通孔４ｂとの関係は、この切り込み４ａについて、折曲げ突起４が切り起こされていない状態を示す図１（ｃ）によって明瞭に解る。つまり、貫通孔４ｂの長さは、足長の下向きのＵ字形状に形成された切り込み４ａの足長さの半分程度の所から、この足元を少し越える程度の所までのものとなっている。
【００２２】
一方、貫通孔４ｂの幅は、切り込み４ａの幅に対して、残肉部４ｃの機械的強度が、架設具本体１の厚さ、架設具５の材質とも兼ね合って、図２（ｂ）で示すように、この切り込み４ａつまり折曲げ突起４の先頭部４ｄを人の指先Ｆで操作することによって、折曲げ突起４をこの残肉部４ｃで折り曲げることができる程度のものとなっている。
【００２３】
このような構成のボックス架設具５の使用態様を図２によって説明する。
【００２４】
まず、図２（ａ）に示すように、架設具５自体をその取付部３を用いて既設の鉄筋Ｋに固定する。ついで、同図に示すように、ボックスＢの取付穴Ｂ１に架設具５の折曲げ突起４が入るようにすると、図２（ｂ）でも解るように、ボックスＢが落下しないように所定の向きで一時的に掛け留めできる。
【００２５】
その位置で良好な場合には、図２（ｂ）に示すように、ボックスＢの開口側から取付穴Ｂ１の内底面Ｂ２に沿わせるように、先頭部４ｄを人の指先Ｆで操作することによって、折曲げ突起４を折り曲げることができ、これにより、図２（ｃ）に示すように、ボックスＢがコンクリートの打設程度では脱落しないように固定、架設される。
【００２６】
こうして、このボックス架設具５によれば、折曲げ突起４に貫通孔４ｂが設けられ、折曲げ容易とされているので、人の手指でも折り曲げることができ、現場での取扱性、施行性に優れている。特に、ボックスＢが通常の配線ボックスの場合には、その開口側からの操作には、場所的な制約があり、別途ペンチやプライヤなどの工具を用いることなく、操作容易な人の手指でも折り曲げることができる点は優れている。
【００２７】
また、この貫通孔４ｂは、折曲げ突起４の中央に設けられているので、その残肉部４ｃの強度が左右同一であり、折曲げ突起４はその左右の残肉部４ｃで同じように折れ曲がり、どちらか片方に傾いて折れ曲がるようなことがない。
【００２８】
また、この貫通孔４ｂは、上記説明で解るように、折曲げ突起の折曲げが必要とされる部分に対応できるように、折曲げ突起の長手方向に延びて形成されているので、必要な部分で折曲げでき、また、ボックスＢの取付孔Ｂ１の長さが種々の場合にも対応できる。
【００２９】
更に、この貫通孔４ｂは、図１（ｃ）で説明したように、切り込み４ａの足長さの半分程度の所から、この足元を少し越える程度の所まで形成されている。
【００３０】
これにより、この貫通孔４ｂによる折曲げ易さの効果が、ボックスＢの取付後の折曲げ時だけでなく、図１（ｃ）のような折曲げ突起４部分が切り起こされていない状態から、先頭部４ｄに操作力を加えて、図１（ｂ）のような状態の折曲げ突起４とする場合にも、発揮される。
【００３１】
従って、このような貫通孔４ｂを設けた架設具５は、図１（ｂ）のように折曲げ突起４を切り起こした状態ではなく、図１（ｃ）のように、切り起こさない状態で、提供することができ、提供時のスペースが節約され、取扱し易さが向上する。
【００３２】
また、この貫通孔４ｂは、図１（ｃ）のような長孔となっているので、図１（ｂ）に示すように、すでに切り起こし状態で用意された折曲げ突起４のピッチＰ１を別のピッチＰ２の折曲げ突起４′に変えたい場合にも、折曲げ直しが容易となる。
【００３３】
更に、この貫通孔４ｂは、切り込み４ａの足元を少し越える程度の所まで形成されているので、切り込み４ａの最大限度で切り起こしたい場合にも、その切り起こしが容易となる。  
【実施例２】
【００３４】
図３は、本発明のボックス架設具の他例を示すもので、（ａ）はその正面図、（ｂ）は（ａ）のＢＢ断面図、（ｃ）は（ａ）のＡＡ断面図である。これより、すでに説明した部分と同じ部分には同じ符号を付して重複説明を省略する。また、煩雑さを避けるために、全ての符号を繰り返して記載しない場合がある。
【００３５】
このボックス架設具５Ａは、図１のボックス架設具５に比べ、全体の形状がＳ字状ではなく、単なる矩形となっている点が異なり、各部の形状もそれに伴い異なるだけで、各部の機能、作用効果は同一である。
【００３６】
つまり、この架設具５Ａの架設具本体１Ａ、補強凹所２Ａ、挿通孔２ｃ、折曲げ突起４Ａ、切り込み４ｅ、貫通孔４ｆ、残肉部４ｇ、先頭部４ｈは、図１の架設具５の架設具本体１、補強凹所２、挿通孔２ｂ、折曲げ突起４、切り込み４ａ、貫通孔４ｂ、残肉部４ｃ、先頭部４ｄと機能、作用効果は同一である。
【００３７】
従って、このボックス架設具５Ａによれば、図１のボックス架設具５と同じ効果を発揮する。
【実施例３】
【００３８】
図４は、本発明のボックス架設具の他例を備えたボックス固定具の固定具本体を示すもので、（ａ）はその正面図、（ｂ）はその側面図、（ｃ）はその左側面図、（ｃ）は（ａ）のＣＣ断面図、（ｅ）は（ｄ）の要部拡大図、図５（ａ）は、図４の固定具本体と組み合わせて用いられる座板を示す正面図、（ｂ）はその縦断面図、（ｃ）は図４の固定具本体と組み合わせて用いられる裏板を示す正面図、（ｄ）はその側面図である。
【００３９】
図６は、図４の固定具本体と組み合わせて用いられる、本発明のボックス架設具を示すもので、（ａ）はその上面図、（ｂ）はその正面図、（ｃ）はその側面図、（ｄ）は更に他例の正面図、図７は、図４、５、６のボックス固定具の使用態様を示すもので、（ａ）はその斜視図、（ｂ）はその要部断面図、（ｃ）は（ｂ）の折曲げ操作後の要部断面図である。
【００４０】
図４の固定具本体６、図５（ａ）、（ｂ）の座板７、図５（ｃ）、（ｄ）の裏板８、図６のボックス架設具９は、図１から３で説明したボックス架設具５、５Ａとは異なり、全体セットでボックス固定具１０として、建築物の壁面内などに収容されるボックス類を、柱に取り付けられた固定具本体６を介して、ボックス架設具９により架設固定するものである。
【００４１】
そして、図１から３で説明したボックス架設具５、５Ａの特徴は、このボックス固定具１０に含まれるボックス架設具９に表れている。
【００４２】
図４の固定具本体６は、柱など既設の構造体に取付される取付部６ａと、この取付部６ａから延設されてボックスＢを支持するための支持部６ｂとを備えている。
【００４３】
取付部６ａと支持部６ｂとは長方形の平板をその長手方向に直交する線で直角にＬ字形に折り曲げた関係で、取付部６ａは構造体の垂直な面に取り付けられるように想定され、その際に、支持部６ｂの平面が、長寸方向は水平向きで短寸方向は垂直向きで、つまり、その取付状態を側面から見た際に、図４（ａ）のように見えるように取付される。
【００４４】
取付部６ａには、この取付部６ａを構造体に取り付けるための取付孔６ｃ、６ｄが設けられ、取付孔６ｄは長孔となっている。
【００４５】
支持部６ｂは全体として長方形平板の短寸方向の中央に長手方向に延びるすり鉢状凹所６ｇが形成され、その最深中央部には断続的な貫通長孔６ｈが形成されている。この貫通長孔６ｈの底間隙の間隙寸法Ｄは、ここに疑似螺合させて用いる取付雄ねじに対応した雌ネジの孔径に一致するものとなっている。
【００４６】
なお、このすり鉢状凹所６ｇと貫通長孔６ｈとは、その組み合わせにより、貫通長孔６ｈの任意の位置で対応する雄ネジがネジ係止可能となっており、この組み合わせを、ネジ係止タイプ長孔６ｆと呼ぶ。
【００４７】
該長方形平板の短寸方向の両端は所定寸法だけ所定角度に折り曲げた端曲部６ｅとなって長手方向に延びている。
【００４８】
図５（ａ）、（ｂ）の座板７は、正方形の平板であって、四隅近傍に４つの小丸突起７ａと中央に大丸突起７ｄが同じ側に突出するように形成されている。また、より長い長孔７ｂが上下それぞれの２個の小丸突起７ａの近傍に渡るように形成されている。また、長孔７ｂと平行し、中央の大丸突起７ｄを挟むように一対のより短い長孔７ｃが形成されている。
【００４９】
正丸突起７ｄの反突起側は、貫通しない程度の小凹所７ｅとなっており、大丸突起７ｄの反突起側は、大径の大凹所７ｆが形成され、この底面と大丸突起７ｄの突起側とは、貫通孔７ｅによって貫通されている。
【００５０】
図５（ｃ）、（ｄ）の裏板８は、矩形形状の平板で、一つの対角の双方は大きなアール面取りとなっており、長手方向に直列した二つの長孔８ａとその間にネジ孔８ｂとが形成されている。
【００５１】
図６（ａ）、（ｂ）、（ｃ）のボックス架設具９は、前面側となる平板部９ａと、これの一対の対辺に設けられた抱き込み部９ｂとを備えている。この抱き込み部９ｂの後面側に、図４の固定具本体６の支持部６ｂの上下一対の端曲部６ｅが嵌まり込むようになっている。
【００５２】
平板部９ａには、上記一対の抱き込み部９ｂに対する中心線となる位置の右方に折曲げ突起９ｃが切り起こされ、左方には取付孔９ｈが形成されている。
【００５３】
折曲げ突起９ｃは、切り込み９ｄ、貫通孔９ｅ、残肉部９ｆ、先頭部９ｇを備え、これらは、図１の架設具５の折曲げ突起４と、それに備わった切り込み４ａ、貫通孔４ｂ、残肉部４ｃ、先頭部４ｄと同一の機能、作用効果を発揮する。
【００５４】
ただし、この折曲げ突起９ｃの場合、組み合わせて用いられる取付孔９ｇが長孔となっており、ボックスＢＡの取付孔ＢＡ１のピッチとの調整が不要なので、その切り起こし位置の調整が不要であり、そのため、貫通孔９ｅは、切り込み９ｄの足元部分にまでは及んでいない。
【００５５】
図６（ｄ）のボックス架設具９Ａは、上記のボックス架設具９に比べ、取付孔９ｉが、長孔ではなく、取付孔９ｈの長孔の長径を直径とする丸孔となっている点が異なる。
【００５６】
なお、これらのボックス架設具９、９Ａについては、それが取り付けられる対象としての既設の構造体が固定具本体６に、その平板部９ａが架設具本体に、抱き込み部９ｂが取付部に相当する。
【００５７】
このような固定具本体６、座板７、裏板８、ボックス架設具９からなるボックス固定具１０は、図７に示すようにセットで用いられ、この例では、構造体であるチャンネル状の柱ＰにボックスＢＡを架設、固定することができる。
【００５８】
まず、座板７と裏板８ををチャンネル状の柱Ｐに取り付ける。この際、座板７を、その４つの小丸突起７ａがこの柱Ｐのチャンネルの開口側のツバ間に嵌まり込むように、その表側に、一方、ツバの裏側に裏板８をセットし、座板７と裏板８でチャンネルの開口側のツバを挟むようにする。
【００５９】
この状態で、座板７の大凹所７ｆから締付ネジを挿通させて、そのネジを裏板８のネジ孔８ｂに螺合させて、ネジ締めすると、柱Ｐの開口側ツバの適所に座板７が固定される。
【００６０】
この座板７にその長孔７ｂを利用して、固定具本体６の取付孔６ｃに挿通させた締付ネジで、図７（ａ）に示す方向Ｆ１の適切な位置を決めて、固定具本体６を座板７に、つまり、柱Ｐに固定する。
【００６１】
一方、その支持部６ｂは、その長寸方向が水平方向に、短寸方向が垂直方向になるようになっており、その支持部６ｂをボックス架設具９の抱き込み部９ｂで抱き込むようにすると、図に示す方向Ｆ２にボックス架設具９は支持部６ｂ上でスライド可能となる。
【００６２】
この状態で、ボックスＢＡを、その取付孔ＢＡ１の一方に、ボックス架設具９の折曲げ突起９ｃが入るようにすると、図７（ｂ）の状態となり、ボックスＢＡは人がそれを支えていなくとも、ボックス架設具９に掛け留めされた状態となり、その状態でも、ボックス架設具９は、方向Ｆ２に支持部６ｂ上でスライド可能である。
【００６３】
ここで、折曲げ突起９ｃを人の指で曲げ操作すると、この折曲げ突起９ｃは貫通孔９ｅにより容易に折曲げ可能となっているので、図７（ｃ）に示すように、ボックスＢＡの底面ＢＡ２に沿って折れ曲がり、また、この状態でも、ボックスＢＡはボックス架設具９と共に、方向Ｆ２に支持部６ｂ上でスライド可能である。
【００６４】
ここで、ボックスＢＡの他の取付孔ＢＡ１に固定ネジＢＳを挿通させ、ボックス架設具９の取付孔９ｈを通して、固定具本体６の支持部６ｂに設けられたネジ係止タイプ長孔６ｆの貫通長孔６ｈに螺合させて、ボックスＢＡを固定具本体６に、ひいては、構造体である柱Ｐに架設、固定することができる。
【００６５】
この架設、固定の手順の中で、貫通孔９ｅを形成した折曲げ突起９ｃを備えたボックス架設具９は、その最終目的を好適に達成しつつ、図１から３のボックス架設具５、５Ａと同様の効果を発揮している。
【００６６】
なお、ボックス架設具９の取付孔９ｈは、上記の説明でも解るように、ボックスＢＡの取付孔ＢＡ１と固定具本体６の支持部６ｂの貫通長孔６ｈとの間に介在する逃がし孔９ｈに過ぎないので、固定部材である固定ネジＢＳを通過させることができればよい。
【００６７】
したがって、図６（ｄ）に示すボックス架設具９Ａのように、この逃がし孔（取付孔）９ｉを、取付孔９ｈのように長孔とする代わりに、この長孔の長さを直径とする丸孔としてもよい。
【００６８】
上記では、３つの実施例について説明したが、これらは、本発明のボックス架設具の例示に過ぎず、本発明のボックス架設具は、上記説明した各要素の異なる組み合わせは、均等の範囲での変形、改良などが含まれるものであり、上記実施例に限定されるものではない。
【産業上の利用可能性】
【００６９】
本発明のボックス架設具は、ボックス類の取付固定のために折曲げ突起を容易に折り曲げることができ、良好な取扱性が要請されるあらゆる産業上の分野に用いることができる。
【図面の簡単な説明】
【００７０】
【図１】本発明のボックス架設具の一例を示すもので、（ａ）はその正面図、（ｂ）はその縦断面図、（ｃ）は（ａ）の要部拡大図
【図２】図１のボックス架設具の使用態様の一例を示すもので、（ａ）はその斜視図、（ｂ）はその要部断面図、（ｃ）は（ｂ）の折曲げ操作後の要部断面図
【図３】本発明のボックス架設具の他例を示すもので、（ａ）はその正面図、（ｂ）は（ａ）のＢＢ断面図、（ｃ）は（ａ）のＡＡ断面図
【図４】本発明のボックス架設具の他例を備えたボックス固定具の固定具本体を示すもので、（ａ）はその正面図、（ｂ）はその側面図、（ｃ）はその左側面図、（ｃ）は（ａ）のＣＣ断面図、（ｅ）は（ｄ）の要部拡大図
【図５】（ａ）は、図４の固定具本体と組み合わせて用いられる座板を示す正面図、（ｂ）はその縦断面図、（ｃ）は図４の固定具本体と組み合わせて用いられる裏板を示す正面図、（ｄ）はその側面図
【図６】図４の固定具本体と組み合わせて用いられる、本発明のボックス架設具を示すもので、（ａ）はその上面図、（ｂ）はその正面図、（ｃ）はその側面図、（ｄ）は更に他例の正面図
【図７】図４、５、６のボックス固定具の使用態様を示すもので、（ａ）はその斜視図、（ｂ）はその要部断面図、（ｃ）は（ｂ）の折曲げ操作後の要部断面図
【図８】従来の架設具に関するもので、（ａ）はその使用態様の一例を示す斜視図、（ｂ）はその使用態様の他例を示す斜視図
【符号の説明】
【００７１】
１、１Ａ      架設具本体
３、３Ａ      取付部
４、４Ａ      折曲げ突起
４ｂ    貫通孔
５、５Ａ      ボックス架設具
６      固定具本体
６ａ    取付部
６ｂ    支持部
６ｆ    ネジ係止タイプ長孔
７      座板
８      裏板
９      ボックス架設具
９ａ    平板部（架設具本体）
９ｂ    抱き込み部（取付部）
９ｃ    折曲げ突起
９ｅ    貫通孔
９ｈ    逃がし孔
１０      ボックス固定具
Ｂ      ボックス
Ｂ１    取付孔
ＢＡ    ボックス
ＢＡ１  取付孔
Ｋ      鉄筋
Ｐ      柱
【図１】
2006336252.tif 000003
【図２】
2006336252.tif 000004
【図３】
2006336252.tif 000005
【図４】
2006336252.tif 000006
【図５】
2006336252.tif 000007
【図６】
2006336252.tif 000008
【図７】
2006336252.tif 000009
【図８】
2006336252.tif 000010